(57)【要約】      （修正有）【課題】単層，単一種類のインキによる印刷層のみを用いて十分にホログラムと同様な視覚効果を得ることができ、より低コストで製造することができ、印刷する図柄や文字及び大面積のホログラムが提供できる、ホログラム一体型印刷物を提供する。【解決手段】光透過性の透明インキで構成された複数の凸部１ａと、前記凸部の間に形成される隙間１ｂを有する平行に等間隔で繰り返し配置されている格子パターン２からなるホログラム層１が印刷されたことを特徴とするホログラム一体型印刷物Ｂ。【選択図】図１
2020184036.tif 000002
【特許請求の範囲】
【請求項１】
基材表面に、光透過性の透明インキで構成された複数の凸部と、前記凸部の間に形成される隙間を有する平行に等間隔で繰り返し配置されている格子パターンからなるホログラム層が印刷されたことを特徴とするホログラム一体型印刷物。
【請求項２】
前記ホログラム層は、直線状の前記凸部の幅とその直線の間の隙間の幅の変化により絵柄や模様を表現することを特徴とする請求項１に記載のホログラム一体型印刷物。
【請求項３】
前記ホログラム層の前記凸部の幅及び間隙の幅が５０μｍ以下であることを特徴とする請求項１または２に記載のホログラム一体型印刷物。
【請求項４】
前記ホログラム層の前記凸部が透明または有色であり、視点を変化させることで前記絵柄や模様が観察可能になることを特徴とする請求項２または３に記載のホログラム一体型印刷物。
【請求項５】
前記ホログラム層は、印刷対象物と分離困難であることを特徴とする請求項１から４のいずれかに記載のホログラム一体型印刷物。
【請求項６】
前記ホログラム層は、印刷対象物の一部分から全面までの範囲で任意の大きさで配置することができることを特徴とする請求項１から５のいずれかに記載のホログラム一体型印刷物。
【発明の詳細な説明】
【技術分野】
【０００１】
本発明は印刷対象物に直接ホログラムあるいは回折格子と同様な視覚効果を奏するパターンを印刷にて形成したホログラム一体型印刷物に関するものである。
【背景技術】
【０００２】
印刷物の表面、パッケージ、包装紙などの加飾用あるいはカード、イベント用チケット、金券、証券等の偽造防止などに、二次元や三次元画像を記録したホログラムシートが広く使用されている。紙やフィルムなどの基材にホログラムを形成してホログラムシートを製造する方法は種々提案されている。例えば、エンボスタイプのホログラムシートを製造する方法としては、感光材料として光架橋型樹脂にレーザー等を用いて直接露光してホログラフィーのレジスト原盤を得る。前記レジスト原盤に蒸着法などを用いて金属箔膜を形成し、これにニッケル（Ｎｉ）メッキ等の膜層を形成し金属層を得る。前記金属層を剥離してホログラムパターンの金属スタンパーを得る。シート基材表面に熱可塑性樹脂を塗布したものに前記金属スタンパーを圧着加熱した後に冷却し金属スタンパーを剥離することでシート基材表面にホログラム層を形成する。次いでホログラム層が形成されたシートにアルミニウム等の金属を数１００Åの厚さで蒸着法等を用いて生成し反射層を形成する。さらに保護層や接着層や剥離層などを設けホログラムシートが得られる。(図６、図７)  これらを既に絵柄等が印刷された基材に貼り付けることにより、ホログラムシートが付与された基材が得られる。
【０００３】
また、別の方法としては加熱冷却工程を必要としない、シート基材表面に光硬化性樹脂を塗布したものに金属スタンパーを圧着しその後紫外線ランプ等を照射させて樹脂を硬化させホログラム層を形成する方法もある。
【０００４】
ホログラム層の形成方法やホログラムシートの製造方法は日々進化しているが、未だ課題も多く、ホログラム撮影費や金属スタンパーの製作費などの初期コストが高いことや、製造工程数が多くスループットが遅いことが挙げられる。またホログラムの量産化技術の確立、カラー化、大型化、高速化など解決すべき課題も多い。
【０００５】
通常のホログラムシートを得るためには多数の微細な凹凸構造を機械的また化学的な方法でホログラム層を形成しているので安価で早く得ることが難しい。このような問題に対してホログラムシートを用いずに印刷技術によってホログラムと同等の視覚効果を得ることが可能な印刷物を形成する方法も提案されている（特許文献１)。この文献によると表面に凸部と凹部を有する透過層と光を反射する反射層を有し前記透過層と前記反射層の間に着色層を備えた印刷物であり、前記透過層に備えられた凸部と凹部によって入射する光を散乱させることでホログラムと同様な視覚効果を得ることができるとされている。
【０００６】
さらに提案されているホログラムと同等の視覚効果を得ることが可能な印刷物を形成する方法として（特許文献２）、印刷物の表面に光を反射させる反射層と前記反射層の上層に有色インクによって印刷される有色インク層と前記有色インク層の上層に光の反射率を低減する透明インクと光の反射率を高くする光沢透明インクを離隔的に印刷することで疑似的なホログラム層を形成した印刷物であり、前記透明インクと前記光沢透明インクを通過する光の反射率を変えることでホログラムと同様な視覚効果を得ることができるとされている。
【先行技術文献】
【特許文献】
【０００７】
【特許文献１】特開２０１４−２０８４０２号公報
【特許文献２】特開２０１７−７１１３７号公報
【発明の概要】
【発明が解決しようとする課題】
【０００８】
しかしながら、特許文献１に記載された発明においては、ホログラムと同様な視覚効果を得るために表面の透過層に凸部及び凹部を形成した層を備え光の散乱をおこさせなければならずホログラムシートと同様に多数の微細な凹凸を備えた局所的に厚さの変化した透明ニスからなる透過層を形成しなければならない。特許文献２に記載された発明においては、ホログラムと同様な視覚効果を得るために表面に光の反射率を低減するつや消し透明インクと光の反射率を高くする光沢透明インクを離隔的配置された層を形成し光の反射率の差異を起こさせなければならず、つや消し透明インクと光沢透明インキは別々に印刷形成しなければならず工程数が多くなる。更に反射層の上層に有色インキ層の形成が必要であり、反射層の形成には箔押しや蒸着等の印刷以外の製造方法の併用が必要となり、更に工数が増えるという問題がある。
【課題を解決するための手段】
【０００９】
本発明は、以上のような問題点を鑑み、単層，単一種類のインキによる印刷層のみを用いて十分にホログラムと同様な視覚効果を得ることができ、より低コストで製造することができ、印刷する図柄や文字及び大面積のホログラムが提供できる、ホログラム一体型印刷物を提供することを目的としている。
【００１０】
本発明に係るホログラム一体型印刷物は、光透過性の透明インキで構成された複数の凸部と、前記凸部の間に形成される隙間を有する平行に等間隔で繰り返し配置されている格子パターンからなるホログラム層が印刷されたことを特徴とするホログラム一体型印刷物である。
【００１１】
前記ホログラム層は、直線状の前記凸部の幅とその直線の間の隙間の幅の変化により絵柄や模様を表現することを特徴とするホログラム一体型印刷物である。
【００１２】
また、前記ホログラム層の前記凸部の幅及び間隙の幅が３０μｍ以上５０μｍ以下であることを特徴とするホログラム一体型印刷物である。
【００１３】
また、前記ホログラム層の前記凸部が透明または有色であり、視点を変化させることで前記絵柄や模様が観察可能になることを特徴とするホログラム一体型印刷物である。
【００１４】
また、前記ホログラム層は、印刷対象物と分離困難であることを特徴とするホログラム一体型印刷物である。
【発明の効果】
【００１５】
本発明によれば、単層，単一種類のインキによる印刷層のみを用いて印刷基材とホログラム層が一体型となったホログラム一体型印刷物を得ることができ、加えて印刷する図柄の選択性が広く、大面積のホログラムが一括で形成することができ、スループットが高く低コストでホログラム一体型印刷物を提供することができる。
【図面の簡単な説明】
【００１６】
【図１】本発明の印刷物の一実施形態の全体構成の模式図である。
【図２】本発明の印刷物の一実施形態の断面構造の模式図である。
【図３】本発明の印刷物の一実施形態のホログラム層の模式図である。
【図４】一般的なグラビアオフセット印刷装置の概略図である。
【図５】図６に示すグラビアオフセット印刷装置における印刷工程の概略図である。
【図６】従来技術の貼合型ホログラムシートの積層構成の模式図である。
【図７】従来技術の転写型ホログラムシートの積層構成の模式図である。
【発明を実施するための形態】
【００１７】
以下、図面を参照しながら本発明の実施形態について説明する。ここで、図面は模式的なものであり、説明の便宜上、平面寸法との関係や各層の厚みの比率等は実際の縮尺とは異なるサイズで誇張して図示する場合もある。また、以下に示す実施形態は、本発明の技術的思想を具体化するための構成を例示するものであって、本発明の技術的思想は、構成部品の材質、形状、構造等が下記のものに特定されるものではない。本発明の技術的思想は、特許請求の範囲に記載された請求項が規定する技術的範囲内において、種々の変更を加えることができる。
【００１８】
本発明の一実施形態の全体構成を図１に示す。本実施形態に示すホログラム一体型印刷物Ｂは、シート基材または既に絵柄を印刷された印刷基材Ａに光透過性の透明インク１ａで形成されたホログラム層１を印刷基材Ａに直接印刷し得られた、印刷基材Ａとホログラム層１が一体形成された印刷物Ｂである。尚、以降の説明においては、ホログラムと同様な視覚効果を奏する疑似的なホログラム層を意図する構成としてホログラム層と称する。
【００１９】
前記ホログラム層１は光透過性の透明インク１ａで形成され、連続的に続く微細な直線で形成された配線１ａが、平行に等間隔で繰り返し配置されている格子パターン２を形成している。
【００２０】
前記格子パターン２は、表したいホログラムとなるようにホログラフィーの干渉縞を配線１ａの幅ａと間隙１ｂの幅ｂを調整することで記録された前記ホログラム層１となる。
【００２１】
回折現象に基づく視覚効果を発現する実際のホログラムでは、ホログラムへの入射角ｉ，ホログラムからの回折反射角θと格子縞模様の間隔ｄと光の波長λの間には、次の関係式が存在する。
【００２２】
(sinｉ−sinθ)＝±ｍλ／ｄ      (ｍ＝０,１,２,…)
また、間隔の異なる平行格子ｄ１とｄ２（＞ｄ１）の重なりに基づいて発生するモアレ縞の周期Ｄは、下式のようになる。
【００２３】
Ｄ＝ｄ１・ｄ２／（ｄ２−ｄ１）
可視波長（３６０〜７８０ｎｍ前後）に対してｄが取り得る値は、可視波長前後であり、レリーフ型ホログラムの場合、格子線を規定する凹凸溝の間隔や高さは、１μｍ以下のサイズである。回折現象には基づかず、インク内での屈折，反射に基づく光路変調を利用した視覚効果を奏する画像や、モアレによる干渉パターンの発生を利用した視覚効果を奏する画像を疑似ホログラム画像として表示する本発明においては、格子パターンとしてｄ，ｄ１，ｄ２にサブミクロンオーダーの微細化までは要さない。人の肉眼による分解能は１００μｍ以下であるが、それ以下（さらに好ましくは、５０μｍ以下）の線幅，間隔であれば、線分の存在を認識せずに上記の視覚効果を発現させる上で好適である。
【００２４】
前記ホログラム層１は印刷基材Ａに公知の印刷法を用いて印刷することで印刷基材Ａとホログラム層１が一体形成されたホログラム一体型印刷物が得られる。ホログラム層１の印刷方法としてはスクリーン印刷、スクリーンオフセット印刷、グラビア印刷、グラビアオフセット印刷、フレキソ印刷などがあげられる。
【００２５】
次に、本発明の一実施形態の断面構造の模式図を図２に示す。本実施形態に示すホログ
ラム一体型印刷物Ｂはシート基材または既に絵柄を印刷された印刷基材Ａに前記格子パターン２で構成されたホログラム層1を直接印刷することで、印刷基材Ａの表面には配線１ａが凸部となり間隙部１ｂは凹部となる微細な凸凹形状が形成される。
【００２６】
図２に示すホログラム一体型印刷物Ｂにおいて、例えば入射光Ｅ１、Ｅ２、Ｅ３、Ｅ４がある場合透明インキで形成された凸部を透過しそれぞれＥ１'、Ｅ２'、Ｅ３'、Ｅ４'に到達する。配線１ａ−１の場合入射光Ｅ１、Ｅ２、Ｅ３の角度までは印刷基材ＡのＥ１'、Ｅ２'、Ｅ３'まで到達し印刷基材Ａの絵柄等が視認できるが、入射光Ｅ４では印刷基材Ａに到達せず絵柄等は視認できず代わりに配線１ａ−１の表面反射光が認識される。同様に配線１ａ−２では入射光Ｅ１、Ｅ２の角度までは絵柄が視認できるが入射光Ｅ３、Ｅ４では絵柄等が視認できなくなり配線１ａ−２の表面反射光が認識される。配線１ａ−３では入射光Ｅ１、Ｅ２、Ｅ３、Ｅ４の角度まで絵柄等が視認できる。それ以上の角度になると配線１ａ−３の表面反射光が認識される。
【００２７】
入射光Ｅ１、Ｅ２、Ｅ３、Ｅ４は人の視野角に相当し、印刷基材Ａの絵柄等が視認できる視野角の範囲内では絵柄等が同じように視認できるが、印刷基材Ａの絵柄等が視認できない視野角になると配線１ａの反射光が認識されることによりホログラム層１の絵柄等が現れ認識される。
【００２８】
次に、本発明の一実施形態のホログラム層の模式図を図３に示す。本実施形態に示すホログラム層１は透明インキで形成された微細な配線１ａが等間隔で平行に配置された格子縞であり、ホログラフィーの干渉現象を配線１ａの幅ａにより記録したホログラム層１である。
【００２９】
例えば、図３のホログラム層１を形成している格子縞は配線の幅ａを基準としており、ホログラフィー画像を意図して形成する絵柄３と絵柄４は配線の幅ａ１として記録されている。連続した配線１ａの中に幅ａの部分と幅ａ１の部分が混在し、かつ隣り合う配線１ａにも幅ａの部分と幅ａ１の部分が混在するため図２で示したようにある視野角では印刷基材Ａの絵柄が視認され、別の視野角では配線１ａの反射光が認識されホログラム層１の絵柄が認識され、配線１ａは連続した直線で形成されており、視野角を動かすことで印刷基材Ａの絵柄から配線１ａの反射光へと連続的に変化することでホログラムの絵柄３や絵柄４が浮き出して見える。
【００３０】
ホログラム層１を形成している格子縞の配線１ａの幅ａ及びその間隙１ｂの幅ｂは、人が線として認識し難い５０μｍ以下で形成するのが好ましく、ホログラフィーの干渉現象を明瞭に表現するには配線１ａの幅ａ及びその間隙の幅ｂを３０μｍ程度にすることが望ましい。配線１ａの幅ａ及びその間隙の幅ｂを３０μｍより大きくするホログラムがラフネス傾向になり、３０μｍよりも小さくするとホログラムのコントラストが小さく視野角が狭い傾向になる。また表現するホログラムに適応する干渉縞が現れるように、干渉縞部分の配線の幅ａ１については配線の幅aを最大とし任意の大きさで調整しホログラフィーの干渉縞を記録する。
【００３１】
ホログラム層１を形成するインキ材料として樹脂材料を用いる。樹脂材料は透明樹脂や、色付きの樹脂、あるいは、不透明な樹脂を用いても良い。すなわち、例えば、ポリカーボネート樹脂、アクリル系樹脂、フッ素系アクリル樹脂、シリコン系アクリル樹脂、エポキシアクリレート樹脂、ポリスチレン樹脂、アクリロニトリルスチレン樹脂、シクロオレフィンポリマー、メチルスチレン樹脂、フルオレン樹脂、ＰＥＴ（ポリエチレンテレフタレート）、ポリプロピレン、フェノール樹脂、メラミン樹脂、ＰＥＮ（ポリエチレンナフタレート）、ＰＩ（ポリイミド）等の熱可塑性樹脂や熱硬化性樹脂等の汎用プラスチックを用いることが可能である。
【００３２】
微細な配線１ａに反射性をもたせるために発色顔料を混合させてもよい。発色顔料としては、光反射性をもたせるため、金、銀、銅や亜鉛、アルミニウム、パール顔料単体若しくはそれらの中から複数を混合させて使用してもよく、金属であれば金属単体のみでなく、合金を使用することもできる。
またこれに限定されず、印刷分野で知られている有機顔料・無機顔料を適宜用いることができる。
【００３３】
具体例としては、アクリル系粒子、スチレン粒子、スチレンアクリル粒子及びその架橋体や、メラミン‐ホルマリン縮合物の粒子、ポリウレタン系粒子、ポリエステル系粒子、シリコン系粒子、フッ素系粒子、エポキシ粒子これらの共重合体、スメクタイト、カオリナイト、タルク等の粘土化合物粒子、シリカ、酸化チタン、アルミナ、シリカアルミナ、ジルコニア、酸化亜鉛、酸化バリウム、酸化ストロンチウム等の無機酸化物粒子、炭酸カルシウム、炭酸バリウム、炭酸マグネシウム、塩化バリウム、硫酸バリウム、硝酸バリウム、水酸化バリウム、水酸化アルミニウム、炭酸ストロンチウム、塩化ストロンチウム、硫酸ストロンチウム、硝酸ストロンチウム、水酸化ストロンチウム、ガラス粒子等の無機微粒子を挙げることができる。
【００３４】
前述した発色顔料の他に光散乱粒子が混入されていてもよい。光散乱粒子としては、真球形状粒子、または、不定型形状粒子が用いられる。また、光散乱粒子の材料としては、無機微粒子、または、有機微粒子からなる粒子を用いてもよい。
【００３５】
前述の発色顔料また前述の光散乱粒子の他に、光反射性を目的とした顔料に無機顔料として、二酸化チタン、亜鉛華、鉄黒に代表される酸化物の他、水酸化物、硫化物、セレン化物、フェロシアン化物、クロム酸塩、硫酸塩、炭酸塩、ケイ酸塩、燐酸塩、炭素等がある。有機顔料としては、炭素化合物の他、ニトロソ系、ニトロ系、アゾ系、レーキ系、フタロシアニン系、縮合多環材料等がある。
【００３６】
これらの高い屈折率を有する透明な粒子は、一種類の粒子だけを混合して使用してもよいし、複数種類を混ぜて使用してもよい。また、無機微粒子や有機粒子の表面に塗工や蒸着等によって表面加工を施したものを、一種類で使用してもよいし、複数種類を混ぜて使用してもよい。すなわち、混入する光散乱粒子には、異なる屈折率を有する少なくとも二つの光散乱粒子を含んでもよい。異なる屈折率を有する光散乱粒子の代わりに、異なるヘイズ値を有する２つ以上の光散乱粒子を含んでもよい。
【００３７】
これら光反射性を目的とした顔料に対し、導電性を目的として金属微粒子や導電性金属酸化物微粒子あるいは金属ナノワイヤや金属塩化物、導電性ポリアニリン、導電性ポリプロピロール、導電性ポリチオフェン（ポリエチレンジオキシチオフェンとポリスチレンスルホン酸の錯体）などの導電性ポリマー等を混合して利用してもよい。
【００３８】
このように各種の発色顔料や、屈折率を有する粒子の混合、導電性を付与することを、本願では有色であるという。
【００３９】
本発明のホログラムの適用対象の例としては次のものが挙げられる。
【００４０】
印刷された建装材：壁紙や木目調などのシートなど
バーコードの周辺：バーコードの読み取り対象周囲など
印刷物：書籍、カタログ、医薬品の添付文書など
このようなものに印刷可能であるため、見る角度によって絵柄が変わる（チェンジング）や、偽造防止（セキュリティ性付与）に適用可能である。
【００４１】
なお、本発明のホログラムは、ホログラム付与対象物（書籍等）を印刷する際に同時に印刷することも、ホログラム付与対象物の印刷後に追加して印刷することも可能である。
【００４２】
ホログラム付与対象物が透明な場合、ホログラム付与対象物の印刷前に本発明のホログラムを印刷することも可能である。
【００４３】
ホログラムの上に、保護層としてフィルムを載せることも可能である。
【実施例】
【００４４】
以下、本発明を具体的に実施した実施例を説明する。
【００４５】
本発明の一実施形態実現させるための印刷装置の概念図を図４６に示す。本発明を実現させるための印刷装置としてグラビアオフセット印刷装置１００を用いた。グラビアオフセット印刷装置１００は、凹版からなる印刷版１０１とインキ転写用のブランケット１０３と印刷版１０１にインキ１０５を充填するドクタ１０６と印刷基材１１０を備えている。
【００４６】
印刷版１０１は、金属製の平版に配線１ａとなる部分を印刷パターン溝１０４としエッチングによって彫刻したものを使用し、配線１ａの幅ａと間隙１ｂの幅ｂが３０μｍを基準とし、絵柄を表現するホログラフィーの干渉縞となるように配線の幅ａ１を調整した印刷パターン溝１０４とし、絵柄の大きさが幅６００ｍｍ×長さ６００ｍｍである印刷版１０１を使用した。
【００４７】
ブランケット１０３は、回転可能なブランケット胴１０２の表面に固定されており、ブランケット胴１０２は転動可能な台車(不図示)に支持されており、台車は架台上を移動可能な架台に支持されている。そしてブランケット１０３は、印刷版１０１上を転動することで印刷版１０１の印刷面の凹部からブランケット１０３表面にインキ１０７が転写され、さらに転写されたインキ１０８を基材固定用定盤１１１に固定された印刷基材１１０の表面に転写して印刷する。
【００４８】
インキ１０５はアクリル系樹脂を主体とする透明インキを使用し、インキ粘度はレオロジー測定装置で角速度１０ｒａｄ／秒で、５〜１０Ｐａ・ｓであるものを使用した。
【００４９】
印刷基材１１０は、透明のポリエチレンテレフタレート(ＰＥＴ)フィルムを印刷基材１１０とした。印刷基材１１０は幅６２０ｍｍ×６５０ｍｍ×厚さ１２５マイクロｍのシート状のものを使用した。
【００５０】
印刷用ブランケット１０３として、シリコーンゴムを主体とする厚み０．９ｍｍ、硬度２０°（ＪＩＳ−Ａ形硬度）、幅７００ｍｍ、長さ７５０ｍｍのものを使用し、ブランケット胴１０２はＳＵＳ３０４製のシリンダで幅７００ｍｍ×直径３００ｍｍのものを使用した。
【００５１】
本発明の一実施形態について、図１に示すような絵柄のホログラム層の印刷方法を図５の印刷工程の概要図に照らし説明する。
【００５２】
印刷版１０１上にインキ１０５を０．５ｇ/ｃｍ2で供給する（図５（ａ））。
【００５３】
ドクタ１０６と印刷版１０１が接する位置をドクタのゼロ点とし、ゼロ点からドクタ１０６を印刷版１０１の方向に０．５ｍｍ近づけた位置でインキ１０５を掻き取りながら印刷パターン溝１０４にインキを充填１０７する（図５（ｂ））。
【００５４】
印刷版１０１とブランケット１０３が接する位置をブランケット胴１０２のゼロ点とし、ゼロ点からブランケット胴１０２を０．５ｍｍ印刷版１０１に近づけた位置を印刷版１０１の充填インキ１０７をブランケット１０３に取り出す位置とし、この位置でブランケット胴１０２を５０ｍｍ／ｓｅｃで転動させ印刷版１０１の充填インキ１０７をブランケット１０３に受理１０８させる（図５（ｃ））。
【００５５】
印刷基材１１０とブランケット１０３が接する位置をブランケット胴１０２のゼロ点とし、ゼロ点からブランケット胴１０２を０．５ｍｍ印刷基材１１０に近づけた位置をブランケット１０３に受理したインキ１０８を印刷基材１１０に転写する位置とし、この位置でブランケット胴１０２を１００ｍｍ／ｓｅｃで転動させブランケット１０３に受理されたインキ１０８を印刷基材１１０に押し付け転写１０９させ印刷を完了する（図５７（ｄ））。
【００５６】
以上の工程で、図３に示すような絵柄でホログラム層のサイズが６００×６００ｍｍの大面積のホログラムが印刷基材全面に一括で形成され、ホログラム層を印刷基材に直接印刷した印刷基材とホログラム層が一体型化したホログラム一体型印刷物が得られた。
【００５７】
この結果、本実施形態に係る印刷のみを用いて印刷基材とホログラム層が一体型となったホログラム一体型印刷物を得ることができた。加えて印刷する図柄の選択性が広く、大面積のホログラムが一括で形成され、スループットが高く低コストのホログラム一体型印刷物が提供できる。
【００５８】
本発明は実施形態に示された態様のみに限らず、特許請求の範囲によって規定される本発明の思想に包含されるあらゆる形態例や応用例、均等物が本発明に含まれる。従って本発明は、限定的に解釈されるべきではなく、本発明の思想の範囲内に帰属する他の任意の技術にも適用することが可能である。
【符号の説明】
【００５９】
１・・・ホログラム層
１ａ、１ａ−１、１ａ−２、１ａ−３・・・配線
１ｂ・・・間隙
２・・・格子パターン
３・・・絵柄
４・・・絵柄
Ａ・・・印刷基材
ａ、ａ１・・・配線の幅
Ｂ・・・ホログラム一体型印刷物
ｂ・・・間隙の幅
Ｅ１、Ｅ２、Ｅ３、Ｅ４・・・入射光
Ｅ１'、Ｅ２'、Ｅ３'、Ｅ４'・・・透過光
１００・・・印刷装置
１０１・・・印刷版
１０２・・・ブランケット胴
１０３・・・ブランケット
１０４・・・パターン溝
１０５・・・インキ
１０６・・・ドクタ
１０７・・・充填インキ
１０８・・・受理インキ
１０９・・・印刷パターン
１１０・・・印刷基材
１１１・・・印刷定盤
【図１】
2020184036.tif 000003
【図２】
2020184036.tif 000004
【図３】
2020184036.tif 000005
【図４】
2020184036.tif 000006
【図５】
2020184036.tif 000007
【図６】
2020184036.tif 000008
【図７】
2020184036.tif 000009